(57)【特許請求の範囲】
【請求項１】
切り離し可能なミニスマートカード(２)をもち、前記ミニスマートカード(２)の実質的部分の周りに伸びるフリーパンチ(３)により前記ミニスマートカード(２)の大部分がカード本体から分離されている携帯型データ記憶媒体(１)において、前記ミニスマートカード(２)の大きさをさらに縮小するための定格切断線(５)が前記ミニスマートカード(２)内に配置され、前記携帯型データ記憶媒体（１）から前記ミニスマートカード(２)を切り離すためのフリーパンチ(３)による切離し方向が前記ミニスマートカードを小型化するための定格切断線の切離し方向とは異なることを特徴とする携帯型データ記憶媒体。
【請求項２】
前記フリーパンチ(３)の線を中断するとともに、前記ミニスマートカード(２)を前記カード本体に連結している複数の横桟(６)が、前記ミニスマートカード(２)の複数のエッジ領域に設けられていることを特徴とする請求項１記載の携帯型データ記憶媒体。
【請求項３】
前記ミニスマートカードを切離そうとする際に梃子作用を得るために、前記複数の横桟(６)が、互いに対向して、また中心を外して設けられていることを特徴とする請求項２記載の携帯型データ記憶媒体。
【請求項４】
前記定格切断線（５）により切断される、縮小されたミニスマートカードを非切断状態に保持する横桟(９)が、前記定格切断線内（５）に設けられていることを特徴とする請求項１から３いずれか１項記載の携帯型データ記憶媒体。
【請求項５】
前記横桟(９)が、前記複数の横桟(６)よりも強固な連結を有することを特徴とする請求項４記載の携帯型データ記憶媒体。
【発明の詳細な説明】
【０００１】
発明の属する技術分野
本発明は、特許請求項１の前文にしたがう、切り離し可能なミニスマートカードをもつ携帯型データ記憶媒体に関する。
【０００２】
発明の背景
既知の移動無線システム、例えばＧＳＭ移動無線システム(汎ヨーロッパデジタル移動無線システム)においては、２つの相異なるカードフォーマットのＳＩＭ(加入者識別モジュール)が存在し得る。ＳＩＭの交換が頻繁に行われる移動電話では、大型カードが交換中の処理を簡易化するため、通常はＩＤ−１カードフォーマットが採用される。ＳＩＭの交換が稀にしか、または全く行われない移動電話、あるいは非常に小型の移動電話に対しては、ＩＤ−０００フォーマットのいわゆるプラグインＳＩＭが通例となっている。移動無線で使用するための実質的にあらかじめ個人認証されたスマートカードの供給をさらに容易にするために、移動無線で使用するためのスマートカードには通常、さほどの問題なしにプラグイン(ミニスマートカード)を切り離すことができる打抜きが設けられる。
【０００３】
ドイツ国特許出願公開Ａ ４０ ０７ ２２１号公報により、標準規格のＩＤ−１フォーマットをもつカードにＩＤ−０００フォーマットのミニスマートカードを配置することが知られ、ミニスマートカードは、ミニスマートカードをカード本体に保持するために維持される１つまたは複数の横桟だけをもつ打抜き、すなわちフリーパンチで囲まれている。
【０００４】
ヨーロッパ特許出願第Ａ ０ ４９５ ２１６号はさらに、マイクロプロセッサをもつＩＤ(身分証明)カードを開示し、コンタクト面をもつマイクロプロセッサは標準規格のスマートカード(ＩＤ−１フォーマット)上の規格で定められた位置に配置されている。マイクロプロセッサ及びそのコンタクト面は、３辺がフリーパンチで囲まれたプラグイン(ＩＤ−０００フォーマットのミニスマートカード)形態にあり、搭載面の第４の辺はヒンジ状のノッチを有する。
【０００５】
上記の形態により、ＳＩＭの頻繁な交換が行われる移動無線機には切り離されていないプラグインをもつ標準規格のカードを用いることができ、より小型の移動無線機、または通常はＳＩＭの交換を行わない移動無線機には切り離されたプラグインを“ミニスマートカード”として用いることができるようになる。
【０００６】
しかし、移動無線機の小型化が進むにつれて、ＩＤ−０００フォーマットのミニスマートカードでさえも大きすぎるという問題が生じている。
【０００７】
したがって本発明の課題は、ミニスマートカードの大きさをさらに縮小でき、全てのカードのフォーマットを互いに確実に分離することができ、すなわちプラグインをカード本体から容易に取り外すことが可能であり、同時に、プラグインがカード本体にとどまる場合にはプラグイン及びカード本体が堅牢なユニットを形成する、プラグイン付スマートカードを提供することである。
【０００８】
発明の概要
上記の課題は、特許請求項１の前文の特徴から出発し、前記請求項の主眼である特徴により解決される。
【０００９】
本発明の有益な実施形態は従属請求項に提示される。
【００１０】
本発明の基本的構想は、ＩＤ−０００フォーマットのプラグインが、プラグインの一部を取り除くことによりミニスマートカードをさらに小型化できる定格切断点をもつことであり、プラグインをＩＤ−１カードから切り離す方向はミニスマートカードを小型化するための切離し方向とは異なる。
【００１１】
上記の形態により、さらに小型化するための定格切断線を破断することなく、ＩＤ−０００フォーマットのプラグインをＩＤ−１フォーマットのカードから切り離すことができるという利点が得られる。
【００１２】
発明の詳細な説明
以下に、ミニスマートカードの、またはミニスマートカード内の、フリーパンチに関する様々な実施形態を示す図１から３を参照して本発明をより詳細に説明する。
【００１３】
図１は集積回路及びコンタクト面４を含むプラグイン２をもつカード本体１を示す。プラグイン２の外郭はカード本体１内でフリーパンチすなわち打抜き３により定められ、１つまたは複数の横桟６だけでカード本体１と連結されている。横桟６はプラグイン２をカード本体１から容易に切り離すことができるように設計されている。プラグイン内にはさらに、残余片８を切り取ることによりプラグインの大きさをさらに縮小できる、フリーパンチ５がある。横桟９をもつフリーパンチ５は、ＩＤ−０００フォーマットのプラグイン２がカード本体１から切り離されるときに横桟９が破断しないように、連結横桟６をもつフリーパンチ３とは異なる切離し方向を有している。プラグインを切り離した後に、横桟９を切断することにより、大きさがさらに縮小されたミニスマートカードを得ることができる。
【００１４】
図２は、フリーパンチ５に沿う横桟９が１つだけ与えられた、図１と同様のスマートカードを示す。さらに、カードの切離し時に梃子作用を得るために、横桟６は互いに対向して、また中心を外して配置される。
【００１５】
図３は、図1にしたがうカードの別の代替実施形態を示し、フリーパンチ３を中断する２つの横桟６がカードの長辺に平行に配置されている。この場合、切離しのための圧力はプラグインの上部または下部に加えられる。フリーパンチ５は２つの横桟で中断されているから、この個所はより堅固な連結を提供し、まずプラグインを切り離し、続いて縮小されたミニスマートカードを得るためにプラグインの一部８を切り取ることができるようになっている。
【００１６】
横桟６または９の大きさ及び数は完成したカードの所望の堅牢性に依存する。プラグインのフリーパンチ３を中断する横桟６は、エッジ領域に配置することが有利である。これにより梃子作用を利用するプラグインの切離しが容易になる。
【図面の簡単な説明】
【図１】  集積回路及びコンタクト面を含むプラグインをもつカード本体を示す
【図２】  フリーパンチに沿う横桟が１つだけ与えられた、図１と同様のスマートカードを示す
【図３】  図1にしたがうカードの別の実施形態を示す
【符号の説明】
１    カード本体
２    プラグイン
３，５    フリーパンチ
４    コンタクト面
６，９    横桟
【図１】
0004643012.tif 000002
【図２】
0004643012.tif 000003
【図３】
0004643012.tif 000004